(57)【要約】【課題】    印刷停止後に所定時間経過しても連続用紙の走行が行われない場合の、熱による連続用紙のダメージを、加熱用回転部材を移動させたり予備加熱部材の構成を複雑にすることなく、確実に防止すること。【解決手段】トナー像を転写された連続用紙Ｐが搬送状態のときには加圧用回転部材１４ａを加熱用回転部材１４ｂに圧接させる圧接位置に移動させ、前記連続用紙Ｐが停止状態のときには前記加圧用回転部材１４ａを前記加熱用回転部材１４ｂから離隔した離隔位置に移動させる加圧用回転部材移動装置と、トナー像を転写された連続用紙Ｐが搬送状態のときには一対の搬送ロール１８，１８を加熱用回転部材１４ｂの下方の使用位置に移動させ、前記連続用紙Ｐが停止状態のときには前記一対の搬送ロール１８，１８を前記加熱用回転部材１４ｂから離れた待機位置に移動させる搬送ロール移動装置とを備えた連続用紙用定着装置Ｕｆ。【選択図】  図１
2006267769.tif 000002
【特許請求の範囲】
【請求項１】
次の構成要件（Ａ01）〜（Ａ06）を備えた連続用紙用定着装置、
（Ａ01）回転するエンドレスの表面にトナー像が形成される像担持体と転写部材とが対向する領域である転写領域を通過する際にトナー像が転写された連続用紙の搬送経路に沿って設定された予備加熱位置と前記連続用紙の搬送経路から離れた非加熱位置との間で移動可能に配置された予備加熱部材、
（Ａ02）前記予備加熱部材で予備加熱された連続用紙上のトナー像を定着するために前記予備加熱部材の用紙搬送方向下流側に配置された互いに圧接する一対の定着用回転部材であって、前記連続用紙のトナー像が転写された表面に接触する加熱用回転部材および裏面に接触する加圧用回転部材により構成される前記一対の定着用回転部材、
（Ａ03）前記加熱用回転部材に向かって圧接される圧接位置と前記加熱用回転部材から離れた離隔位置との間で移動可能に配置された前記加圧用回転部材、
（Ａ04）前記一対の定着用回転部材の用紙搬送方向下流側に配置され且つ、前記連続用紙を挟んで前記連続用紙の表面側および裏面側にそれぞれ接触して前記連続用紙を用紙搬送方向下流側にガイドする一対の搬送ロールであって、前記加熱用回転部材の下方の使用位置と前記加熱用回転部材から離れた待機位置との間で移動可能に配置された前記一対の搬送ロール、
（Ａ05）前記トナー像を転写された連続用紙が搬送状態のときには前記加圧用回転部材を前記圧接位置に移動させ、前記連続用紙が停止状態のときには前記加圧用回転部材を前記離隔位置に移動させる加圧用回転部材移動装置、
（Ａ06）前記トナー像を転写された連続用紙が搬送状態のときには前記一対の搬送ロールを前記使用位置に移動させ、前記連続用紙が停止状態のときには前記一対の搬送ロールを前記待機位置に移動させる搬送ロール移動装置。
【請求項２】
次の構成要件（Ａ01）〜（Ａ03），（Ａ05），（Ａ07）を備えた連続用紙用定着装置、
（Ａ01）回転するエンドレスの表面にトナー像が形成される像担持体と転写部材とが対向する領域である転写領域を通過する際にトナー像が転写された連続用紙の搬送経路に沿って設定された予備加熱位置と前記連続用紙の搬送経路から離れた非加熱位置との間で移動可能に配置された予備加熱部材、
（Ａ02）前記予備加熱部材で予備加熱された連続用紙上のトナー像を定着するために前記予備加熱部材の用紙搬送方向下流側に配置された互いに圧接する一対の定着用回転部材であって、前記連続用紙のトナー像が転写された表面に接触する加熱用回転部材および裏面に接触する加圧用回転部材により構成される前記一対の定着用回転部材、
（Ａ03）前記加熱用回転部材に向かって圧接される圧接位置と前記加熱用回転部材から離れた離隔位置との間で移動可能に配置された前記加圧用回転部材、
（Ａ05）前記トナー像を転写された連続用紙が搬送状態のときには前記加圧用回転部材を前記圧接位置に移動させ、前記連続用紙が停止状態のときには前記加圧用回転部材を前記離隔位置に移動させる加圧用回転部材移動装置、
（Ａ07）前記トナー像を転写された連続用紙が搬送状態のときには前記予備加熱部材を前記予備加熱位置に移動させ、前記連続用紙が停止状態のときには前記予備加熱部材を前記非加熱位置に移動させる予備加熱部材移動装置。
【請求項３】
次の構成要件（Ａ08）〜（Ａ010）を備えた請求項２記載の連続用紙用定着装置、
（Ａ08）予備加熱部材に連結され且つ加圧用回転部材を回転可能に支持するとともに前記予備加熱部材の用紙搬送方向上流端の近傍位置を回動中心として回動可能な連結フレーム、
（Ａ09）前記加圧用回転部材が前記加熱用回転部材に向かって圧接される圧接位置に移動し且つ前記予備加熱部材が前記予備加熱位置に移動する第１回転位置と、前加圧用回転部材が前記加熱用回転部材から離れる離隔位置に移動し且つ前記予備加熱部材が前記非加熱位置に移動する第２回転位置との間で前記連結フレームを回動させる連結フレーム回動装置、
（Ａ010）前記連結フレームと前記連結フレーム回動装置とにより構成される前記予備加熱部材移動装置。
【請求項４】
次の構成要件（Ａ08），（Ａ09），（Ａ011）を備えた請求項１記載の連続用紙用定着装置、
（Ａ08）予備加熱部材に連結され且つ加圧用回転部材を回転可能に支持するとともに前記予備加熱部材の用紙搬送方向上流端の近傍位置を回動中心として回動可能な連結フレーム、
（Ａ09）前記加圧用回転部材が前記加熱用回転部材に向かって圧接される圧接位置に移動し且つ前記予備加熱部材が前記予備加熱位置に移動する第１回転位置と、前加圧用回転部材が前記加熱用回転部材から離れる離隔位置に移動し且つ前記予備加熱部材が前記非加熱位置に移動する第２回転位置との間で前記連結フレームを回動させる連結フレーム回動装置、
（Ａ011）前記連結フレームと前記連結フレーム回動装置とにより構成される前記加圧用回転部材移動装置。
【請求項５】
次の構成要件（Ａ012）〜（Ａ014）を備えた請求項１記載の連続用紙用定着装置、
（Ａ012）前記一対の搬送ロールを回転可能に支持し、前記連結フレームを回動可能に支持するとともに、固定フレームにより回動可能に支持されるリフトフレーム、
（Ａ013）前記加圧用回転部材が前記加熱用回転部材に向かって圧接する圧接位置に移動し且つ前記一対の搬送ロールが前記加熱用回転部材の下方に配置される使用位置に移動した第１回動位置と、前記加圧用回転部材が前記離隔位置に移動し且つ前記一対の搬送ロールが前記待機位置に移動した第２回動位置との間で前記リフトフレームを回動させるリフトフレーム回動装置、
（Ａ014）前記リフトフレームと前記リフトフレーム回動装置とにより構成される前記搬送ロール移動装置。
【発明の詳細な説明】
【技術分野】
【０００１】
本発明は、連続用紙を使用するプリンタ、複写機等の画像形成装置の定着装置（連続用紙用定着装置）に関し、特に、連続用紙を予備加熱する予備加熱部材と前記予備加熱された連続用紙上のトナー像を定着する一対の定着ロールとを備えた連続用紙用定着装置に関する。
【背景技術】
【０００２】
コンピュータ装置用のデータ出力用の連続用紙を使用する熱定着方式の超高速プリンタでは、７０℃の熱を持った予備加熱部材（プレヒート板）の表面に沿って用紙を搬送することにより予備加熱を行い、加熱用回転部材および加圧用回転部材を有する一対の定着ロール（約１９０℃）により定着を行っている。前記連続用紙を使用するプリンタでは、プリント動作の起動、停止の繰り返しが多く、そのため前記連続用紙の走行が間欠的となり、連続用紙の停止状態から再起動までの間、予備加熱部材上に連続用紙がセットされた状態で用紙走行が停止した状態になる。このような場合、連続用紙が停止している時間に応じて連続用紙に熱が伝達されダメージを受けることになる。
【０００３】
前記熱による連続用紙のダメージを防止するための技術が記載されたものとしては、特許文献１（特開平１０１２３８６４号公報）、特許文献２（特開平７−３１９３０３号公報）等が従来公知である。
（特許文献１（特開平１０−１２３８６４号公報）記載の技術）
特許文献１には、加圧ロールに対して加熱ロールを離隔、圧接させることにより、連続用紙から加熱ロールを離隔させるとともに、突き出し部材により用紙を持ち上げて予備加熱部材から用紙を離隔させる技術が記載されている。
（特許文献２（特開平７−３１９３０３号公報）記載の技術）
特許文献２には、印刷が一定時間以上停止したときにアラーム信号を発生するアラーム信号発生手段と、前記アラーム信号の供給に応答して前記プレヒータ（予備加熱部材）上にある前記連続用紙にエアー噴出を行い前記連続用紙を前記プレヒータから浮き上がらせるエアー噴出手段とを設けたプリンタが記載されている。
【０００４】
【特許文献１】特開７−３１９３０３号公報
【特許文献２】特開１０−１２３８６４号公報
【発明の開示】
【発明が解決しようとする課題】
【０００５】
（特許文献１（特開平１０−１２３８６４号公報）記載の技術の問題点）
特許文献１記載の技術では、加熱用回転部材（加熱ロール）を移動させるので、加熱用回転部材（加熱ロール）とそれに圧接される加圧用回転部材（加圧ロール）との圧接領域（定着領域）の位置が正確に定まり難い。また、予備加熱部材（プレヒータ）を貫通する突き出し部材を設けるので、予備加熱部材（プレヒータ）の構成が複雑になる。
（特許文献２（特開平７−３１９３０３号公報）記載の技術の問題点）
特許文献２記載の技術では、一対の定着用回転部材（加熱用回転部材および加圧用回転部材）の下流側に配置されたプレッシャロール（搬送ロール、排出用ガイドロール）および加熱用回転部材の位置が固定配置されているので、連続用紙が加熱用回転部材から離隔しないおそれがある。その場合、連続用紙が熱によるダメージを受けることがある。
【０００６】
本発明は前記事情に鑑み、次の記載内容（Ｏ01）を技術的課題とする。
（Ｏ01）印刷停止後に所定時間経過しても連続用紙の走行が行われない場合の、熱による連続用紙のダメージを、加熱用回転部材を移動させたり予備加熱部材の構成を複雑にすることなく、確実に防止すること。
【課題を解決するための手段】
【０００７】
次に、前記課題を解決した本発明を説明するが、本発明の構成要素には、後述の実施例の構成要素との対応を容易にするため、実施例の構成要素の符号をカッコで囲んだものを付記する。
なお、本発明を後述の実施例の符号と対応させて説明する理由は、本発明の理解を容易にするためであり、本発明の範囲を実施例に限定するためではない。
【０００８】
（第１発明）
前記課題を解決するために第１発明の連続用紙用定着装置は、次の構成要件（Ａ01）〜（Ａ06）を備えたことを特徴とする。
（Ａ01）回転する表面にトナー像が形成される像担持体（ＰＲ）と転写部材（Ｔｒ）とが対向する領域である転写領域（Ｑ１）を通過する際にトナー像が転写された連続用紙（Ｐ）の搬送経路に沿って設定された予備加熱位置と前記連続用紙（Ｐ）の搬送経路から離れた非加熱位置との間で移動可能に配置された予備加熱部材（１３）、
（Ａ02）前記予備加熱部材（１３）で予備加熱された連続用紙（Ｐ）上のトナー像を定着するために前記予備加熱部材（１３）の用紙搬送方向下流側に配置された互いに圧接する一対の定着用回転部材（１４ａ，１４ｂ）であって、前記連続用紙（Ｐ）のトナー像が転写された表面に接触する加熱用回転部材（１４ｂ）および裏面に接触する加圧用回転部材（１４ａ）により構成される前記一対の定着用回転部材（１４ａ，１４ｂ）、
（Ａ03）前記加熱用回転部材（１４ｂ）に向かって圧接される圧接位置と前記加熱用回転部材（１４ｂ）から離れた離隔位置との間で移動可能に配置された前記加圧用回転部材（１４ａ）、
（Ａ04）前記一対の定着用回転部材（１４ａ，１４ｂ）の用紙搬送方向下流側に配置され且つ、前記連続用紙（Ｐ）を挟んで前記連続用紙（Ｐ）の表面側および裏面側にそれぞれ接触して前記連続用紙（Ｐ）を用紙搬送方向下流側にガイドする一対の搬送ロール（１８，１８）であって、前記加熱用回転部材（１４ｂ）の下方の使用位置と前記加熱用回転部材（１４ｂ）から離れた待機位置との間で移動可能に配置された前記一対の搬送ロール（１８，１８）、
（Ａ05）前記トナー像を転写された連続用紙（Ｐ）が搬送状態のときには前記加圧用回転部材（１４ａ）を前記圧接位置に移動させ、前記連続用紙（Ｐ）が停止状態のときには前記加圧用回転部材（１４ａ）を前記離隔位置に移動させる加圧用回転部材移動装置（Ｄ２＋Ｄ３＋Ｍ２＋Ｍ３＋１１＋１２＋１６＋１７；Ｄ３＋Ｍ３＋１２＋１６＋１７）、
（Ａ06）前記トナー像を転写された連続用紙（Ｐ）が搬送状態のときには前記一対の搬送ロール（１８，１８）を前記使用位置に移動させ、前記連続用紙（Ｐ）が停止状態のときには前記一対の搬送ロール（１８，１８）を前記待機位置に移動させる搬送ロール移動装置（Ｄ２＋Ｄ３＋Ｍ２＋Ｍ３＋１１＋１２＋１６＋１７；Ｄ２＋Ｍ２＋１１）。
【０００９】
（第１発明の作用）
前記構成要件（Ａ01）〜（Ａ06）を備えた第１発明の連続用紙用定着装置では、連続用紙（Ｐ）の搬送経路に沿って設定された予備加熱位置と前記連続用紙（Ｐ）の搬送経路から離れた非加熱位置との間で移動可能に配置された予備加熱部材（１３）は、前記予備加熱位置において、回転する表面にトナー像が形成される像担持体（ＰＲ）と転写部材（Ｔｒ）とが対向する領域である転写領域（Ｑ１）を通過する際にトナー像が転写された連続用紙（Ｐ）を予備加熱する。
前記予備加熱部材（１３）の用紙搬送方向下流側に配置された互いに圧接する一対の定着用回転部材（１４ａ，１４ｂ）であって、前記連続用紙（Ｐ）のトナー像が転写された表面に接触する加熱用回転部材（１４ｂ）および裏面に接触する加圧用回転部材（１４ａ）により構成される前記一対の定着用回転部材（１４ａ，１４ｂ）は、前記予備加熱部材（１３）で予備加熱された連続用紙（Ｐ）上のトナー像を加熱定着する。
前記加圧用回転部材（１４ａ）は、前記加熱用回転部材（１４ｂ）に向かって圧接される圧接位置と前記加熱用回転部材（１４ｂ）から離れた離隔位置との間で移動可能に配置される。
前記一対の定着用回転部材（１４ａ，１４ｂ）の用紙搬送方向下流側に配置され且つ、前記連続用紙（Ｐ）を挟んで前記連続用紙（Ｐ）の表面側および裏面側にそれぞれ接触して前記連続用紙（Ｐ）を用紙搬送方向下流側にガイドする一対の搬送ロール（１８，１８）は、前記加熱用回転部材（１４ｂ）の下方の使用位置と前記加熱用回転部材（１４ｂ）から離れた待機位置との間で移動可能に配置される。
加圧用回転部材移動装置（Ｄ２＋Ｄ３＋Ｍ２＋Ｍ３＋１１＋１２＋１６＋１７；Ｄ３＋Ｍ３＋１２＋１６＋１７）は、前記トナー像を転写された連続用紙（Ｐ）が搬送状態のときには前記加圧用回転部材（１４ａ）を前記圧接位置に移動させ、前記連続用紙（Ｐ）が停止状態のときには前記加圧用回転部材（１４ａ）を前記離隔位置に移動させる。
搬送ロール移動装置（Ｄ２＋Ｄ３＋Ｍ２＋Ｍ３＋１１＋１２＋１６＋１７；Ｄ２＋Ｍ２＋１１）は、前記トナー像を転写された連続用紙（Ｐ）が搬送状態のときには前記一対の搬送ロール（１８，１８）を前記使用位置に移動させ、前記連続用紙（Ｐ）が停止状態のときには前記一対の搬送ロール（１８，１８）を前記待機位置に移動させる。
【００１０】
（第２発明）
前記技術的課題を解決するために第２発明の連続用紙用定着装置は、次の構成要件（Ａ01）〜（Ａ03），（Ａ05），（Ａ07）を備えたことを特徴とする。
（Ａ01）回転する表面にトナー像が形成される像担持体（ＰＲ）と転写部材（Ｔｒ）とが対向する領域である転写領域（Ｑ１）を通過する際にトナー像が転写された連続用紙（Ｐ）の搬送経路に沿って設定された予備加熱位置と前記連続用紙（Ｐ）の搬送経路から離れた非加熱位置との間で移動可能に配置された予備加熱部材（１３）、
（Ａ02）前記予備加熱部材（１３）で予備加熱された連続用紙（Ｐ）上のトナー像を定着するために前記予備加熱部材（１３）の用紙搬送方向下流側に配置された互いに圧接する一対の定着用回転部材（１４ａ，１４ｂ）であって、前記連続用紙（Ｐ）のトナー像が転写された表面に接触する加熱用回転部材（１４ｂ）および裏面に接触する加圧用回転部材（１４ａ）により構成される前記一対の定着用回転部材（１４ａ，１４ｂ）、
（Ａ03）前記加熱用回転部材（１４ｂ）に向かって圧接される圧接位置と前記加熱用回転部材（１４ｂ）から離れた離隔位置との間で移動可能に配置された前記加圧用回転部材（１４ａ）、
（Ａ05）前記トナー像を転写された連続用紙（Ｐ）が搬送状態のときには前記加圧用回転部材（１４ａ）を前記圧接位置に移動させ、前記連続用紙（Ｐ）が停止状態のときには前記加圧用回転部材（１４ａ）を前記離隔位置に移動させる加圧用回転部材移動装置（Ｄ２＋Ｄ３＋Ｍ２＋Ｍ３＋１１＋１２＋１６＋１７；Ｄ３＋Ｍ３＋１２＋１６＋１７）、
（Ａ07）前記トナー像を転写された連続用紙（Ｐ）が搬送状態のときには前記予備加熱部材（１３）を前記予備加熱位置に移動させ、前記連続用紙（Ｐ）が停止状態のときには前記予備加熱部材（１３）を前記非加熱位置に移動させる予備加熱部材移動装置（Ｄ２＋Ｄ３＋Ｍ２＋Ｍ３＋１１＋１２＋１６＋１７）。
【００１１】
（第２発明の作用）
前記構成要件（Ａ01）〜（Ａ03），（Ａ05），（Ａ07）を備えた第２発明の連続用紙用定着装置では、予備加熱部材移動装置（Ｄ２＋Ｄ３＋Ｍ２＋Ｍ３＋１１＋１２＋１６＋１７）は、前記トナー像を転写された連続用紙（Ｐ）が搬送状態のときには前記予備加熱部材（１３）を前記予備加熱位置に移動させ、前記連続用紙（Ｐ）が停止状態のときには前記予備加熱部材（１３）を前記非加熱位置に移動させる。
【００１２】
（発明の形態１）
発明の形態１の連続用紙用定着装置は、前記第２発明において次の構成要件（Ａ08）〜（Ａ010）を備えたことを特徴とする。
（Ａ08）予備加熱部材（１３）に連結され且つ加圧用回転部材（１４ａ）を回転可能に支持するとともに前記予備加熱部材（１３）の用紙搬送方向上流端の近傍位置を回動中心として回動可能な連結フレーム（１２）、
（Ａ09）前記加圧用回転部材（１４ａ）が前記加熱用回転部材（１４ｂ）に向かって圧接される圧接位置に移動し且つ前記予備加熱部材（１３）が前記予備加熱位置に移動する第１回転位置と、前加圧用回転部材（１４ａ）が前記加熱用回転部材（１４ｂ）から離れる離隔位置に移動し且つ前記予備加熱部材（１３）が前記非加熱位置に移動する第２回転位置との間で前記連結フレーム（１２）を回動させる連結フレーム回動装置（Ｄ３＋Ｍ３＋１６＋１７）、
（Ａ010）前記連結フレーム（１２）と前記連結フレーム回動装置（Ｄ３＋Ｍ３＋１６＋１７）とにより構成される前記予備加熱部材移動装置（Ｄ３＋Ｍ３＋１２＋１６＋１７）。
【００１３】
（発明の形態１の作用）
前記構成要件（Ａ08）〜（Ａ010）を備えた発明の形態１の連続用紙用定着装置では、前記予備加熱部材移動装置（Ｄ３＋Ｍ３＋１２＋１６＋１７）は、前記連結フレーム（１２）と前記連結フレーム回動装置（Ｄ３＋Ｍ３＋１６＋１７）とにより構成される。
予備加熱部材（１３）に連結され且つ加圧用回転部材（１４ａ）を回転可能に支持する連結フレーム（１２）は、前記予備加熱部材（１３）の用紙搬送方向上流端の近傍位置を回動中心として回動可能である。
連結フレーム回動装置（Ｄ３＋Ｍ３＋１６＋１７）は、前記加圧用回転部材（１４ａ）が前記加熱用回転部材（１４ｂ）に向かって圧接される圧接位置に移動し且つ前記予備加熱部材（１３）が前記予備加熱位置に移動する第１回転位置と、前加圧用回転部材（１４ａ）が前記加熱用回転部材（１４ｂ）から離れる離隔位置に移動し且つ前記予備加熱部材（１３）が前記非加熱位置に移動する第２回転位置との間で前記連結フレーム（１２）を回動させる。
【００１４】
（発明の形態２）
発明の形態２の連続用紙用定着装置は、前記第１発明において次の構成要件（Ａ08），（Ａ09），（Ａ011）を備えたことを特徴とする。
（Ａ08）予備加熱部材（１３）に連結され且つ加圧用回転部材（１４ａ）を回転可能に支持するとともに前記予備加熱部材（１３）の用紙搬送方向上流端の近傍位置を回動中心として回動可能な連結フレーム（１２）、
（Ａ09）前記加圧用回転部材（１４ａ）が前記加熱用回転部材（１４ｂ）に向かって圧接される圧接位置に移動し且つ前記予備加熱部材（１３）が前記予備加熱位置に移動する第１回転位置と、前加圧用回転部材（１４ａ）が前記加熱用回転部材（１４ｂ）から離れる離隔位置に移動し且つ前記予備加熱部材（１３）が前記非加熱位置に移動する第２回転位置との間で前記連結フレーム（１２）を回動させる連結フレーム回動装置（Ｄ３＋Ｍ３＋１６＋１７）、
（Ａ011）前記連結フレーム（１２）と前記連結フレーム回動装置（Ｄ３＋Ｍ３＋１６＋１７）とにより構成される前記加圧用回転部材移動装置（Ｄ３＋Ｍ３＋＋１２＋１６＋１７）。
【００１５】
（発明の形態２の作用）
前記構成要件（Ａ08），（Ａ09），（Ａ011）を備えた発明の形態２の連続用紙用定着装置では、前記加圧用回転部材移動装置（Ｄ３＋Ｍ３＋１２＋１６＋１７）は、前記連結フレーム（１２）と前記連結フレーム回動装置（Ｄ３＋Ｍ３＋１６＋１７）とにより構成される。
予備加熱部材（１３）に連結され且つ加圧用回転部材（１４ａ）を回転可能に支持する連結フレーム（１２）は、前記予備加熱部材（１３）の用紙搬送方向上流端の近傍位置を回動中心として回動可能である。
連結フレーム回動装置（Ｄ３＋Ｍ３＋１６＋１７）は、前記加圧用回転部材（１４ａ）が前記加熱用回転部材（１４ｂ）に向かって圧接される圧接位置に移動し且つ前記予備加熱部材（１３）が前記予備加熱位置に移動する第１回転位置と、前加圧用回転部材（１４ａ）が前記加熱用回転部材（１４ｂ）から離れる離隔位置に移動し且つ前記予備加熱部材（１３）が前記非加熱位置に移動する第２回転位置との間で前記連結フレーム（１２）を回動させる。
【００１６】
（発明の形態３）
発明の形態３の連続用紙用定着装置は、前記第１発明において次の構成要件（Ａ012）〜（Ａ014）を備えたことを特徴とする。
（Ａ012）前記一対の搬送ロール（１８，１８）を回転可能に支持し、前記連結フレーム（１２）を回動可能に支持するとともに、固定フレーム（Ｆ１）により回動可能に支持されるリフトフレーム（１１）、
（Ａ013）前記加圧用回転部材（１４ａ）が前記加熱用回転部材（１４ｂ）に向かって圧接する圧接位置に移動し且つ前記一対の搬送ロール（１８，１８）が前記加熱用回転部材（１４ｂ）の下方に配置される使用位置に移動した第１回動位置と、前記加圧用回転部材（１４ａ）が前記離隔位置に移動し且つ前記一対の搬送ロール（１８，１８）が前記待機位置に移動した第２回動位置との間で前記リフトフレーム（１１）を回動させるリフトフレーム回動装置（Ｄ２＋Ｍ２）、
（Ａ014）前記リフトフレーム（１１）と前記リフトフレーム回動装置（Ｄ２＋Ｍ２）とにより構成される前記搬送ロール移動装置（Ｄ２＋Ｍ２＋１１）。
【００１７】
（発明の形態３の作用）
前記構成要件（Ａ012）〜（Ａ014）を備えた発明の形態３の連続用紙用定着装置では、前記搬送ロール移動装置（Ｄ２＋Ｍ２＋１１）は、前記リフトフレーム（１１）と前記リフトフレーム回動装置（Ｄ２＋Ｍ２）とにより構成される。
固定フレーム（Ｆ１）により回動可能に支持されるリフトフレーム（１１）は、前記一対の搬送ロール（１８，１８）を回転可能に支持し、前記連結フレーム（１１）を回動可能に支持する。
リフトフレーム回動装置（Ｄ２＋Ｍ２）は、前記加圧用回転部材（１４ａ）が前記加熱用回転部材（１４ｂ）に向かって圧接する圧接位置に移動し且つ前記一対の搬送ロール（１８，１８）が前記加熱用回転部材（１４ｂ）の下方に配置される使用位置に移動した第１回動位置と、前記加圧用回転部材（１４ａ）が前記離隔位置に移動し且つ前記一対の搬送ロール（１８，１８）が前記待機位置に移動した第２回動位置との間で前記リフトフレーム（１１）を回動させる。
【発明の効果】
【００１８】
前述の本発明の連続用紙用定着装置は、下記の効果（Ｅ01）を奏する。
（Ｅ01）印刷停止後に所定時間経過しても連続用紙の走行が行われない場合の、熱による連続用紙のダメージを防止することができる。
【発明を実施するための最良の形態】
【００１９】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００２０】
図１は本発明の実施例１の送り孔付き連続用紙搬送装置を備えた画像形成装置の説明図である。
図１において、画像形成装置としての送り孔付き連続用紙を使用するプリンタＵは、プリンタ支持面ＰＳ上に支持されている。前記プリンタＵの右側上部にＵＩ（ユーザインタフェース）が設けられている。ＵＩ（ユーザインタフェース）には、図示しない電源スイッチ、ディスプレイ、濃度調整スイッチ等が設けられている。前記ＵＩの下側には右端部に図示しない制御ボードを収容するためのボード収容部Ｓが設けられている。
前記ボード収容部Ｓの左側には、ドラム状の感光体（像担持体）ＰＲが回転可能に支持されている。前記感光体ＰＲの上側には転写ロール（転写部材）Ｔｒが配置されている。前記感光体ＰＲの周囲には、その回転方向に沿って前記転写ロールＴｒ、クリーナＣＬ、帯電器（チャージコロトロン）ＣＣ、および現像器Ｄが配置されている。
なお、前記転写ロールＴｒの代わりに転写コロトロンを使用可能であり、前記帯電器（チャージコロトロン）ＣＣの代わりに帯電ロールを使用可能である。
【００２１】
前記感光体ＰＲ、転写ロールＴｒ、クリーナＣＬ、帯電器ＣＣ、現像器Ｄは、前後方向（図１の画面に垂直な方向、Ｘ軸方向）に移動可能な移動台１上に支持されている。前記移動台１の下方にはＲＯＳ（潜像形成装置）が配置されている。前記ＲＯＳ（潜像形成装置）の下方には電源回路Ｅが配置されている。
回転する前記感光体ＰＲの表面は、帯電器ＣＣにより一様に帯電され、前記帯電された感光体ＰＲ表面は、前記ＲＯＳ（潜像形成装置）から出射されるレーザビームＬにより静電潜像が形成される。前記感光体ＰＲ表面の静電潜像は現像器Ｄによりトナー像に現像される。前記感光体ＰＲ表面のトナー像は、前記転写ロールＴｒに対向する転写領域Ｑ１に搬送される。
【００２２】
前記プリンタＵは、送り孔付き連続用紙Ｐを収容する連続用紙収容部ＴＲ１を有している。前記連続用紙収容部ＴＲ１に収容された送り孔付き連続用紙Ｐは用紙搬送用のトラクタユニット（用紙搬送部材）Ｋ１，Ｋ２，Ｋ３およびガイドロールＲ，Ｒ等により搬送される。転写ロールＴｒは、前記送り孔付き連続用紙Ｐが前記転写領域Ｑ１を通過する際に感光体ＰＲ表面のトナー像を送り孔付き連続用紙Ｐに転写する。前記用紙搬送用のトラクタユニットＫ１，Ｋ２，Ｋ３は、ほぼ同様に構成されている。
【００２３】
（用紙搬送用トラクタユニット）
図２は用紙搬送用のトラクタユニットの説明図であり、図２Ａは連続用紙を搬送するトラクタユニットの斜視図、図２Ｂトラクタユニットの説明図で前記図２ＡのIIＢ−IIＢ線から見た図である。
図２Ａにおいて、送り孔付き連続用紙Ｐには、用紙搬送方向に所定間隔離れる毎に折り線（直線に沿って小さい孔（またはスリット等）が形成された部分）Ｐａが形成されている。また、送り孔付き連続用紙Ｐの用紙幅方向両側には用紙搬送方向に沿って一定間隔ａで且つ用紙搬送方向同一位置に送り孔Ｐｃ が形成されている。
【００２４】
図２Ａにおいて、前記用紙幅方向（Ｘ軸方向、すなわち、前後方向）に離れて配置された前後一対のトラクタユニットＫ１，Ｋ１は、用紙幅方向に延びる固定シャフトＳ０に支持されている。前後一対のトラクタユニットＫ１，Ｋ１の中の前側（Ｘ側）のトラクタユニットＫ１は固定シャフトＳ０に固定支持されている。後側（−Ｘ側）のトラクタユニットＫ１は固定シャフトＳ０上にスライド可能且つ固定可能に支持されており、使用される連続用紙の幅に応じて固定シャフトＳ０上で位置調節される。
各トラクタユニットＫ１，Ｋ１はガイドフレーム２を有している。ガイドフレーム２には軸受３，４が装着されており、前記トラクタシャフトＳ１，Ｓ２は前記軸受３，４により前記ガイドフレーム２に対して回転可能に支持されている。
【００２５】
前記トラクタシャフトＳ１，Ｓ２にはそれぞれタイミングプーリ５，６が装着されている。前記ガイドフレーム２と前記軸受３，４と、前記タイミングプーリ５，６とにより、ピンベルト７を回転可能に支持するベルト支持部材（２〜６）が構成されている。図２Ａ、図２Ｂにおいて、ピンベルト７の外周には複数のトラクタピン７ａが一定間隔ａで設けられている。前記トラクタピン７ａは前記送り孔Ｐｃに嵌合可能である。
【００２６】
前記トラクタシャフトＳ１には図示しない回転駆動部材から回転力が伝達されるように構成されている。トラクタシャフトＳ１が回転すると、前記用紙幅方向両側の端部に装着されたタイミングプーリ（ベルト駆動部材）５（図２Ｂ参照）が回転する。前記タイミングプーリ５の回転にともなって前記用紙幅方向両側のピンベルト７およびタイミングプーリ６も回転する。前記トラクタピン７ａが前記送り孔Ｐｃに嵌合している状態で前記ピンベルト７が回転すると、前記送り孔付き連続用紙Ｐは用紙搬送方向に搬送される。
【００２７】
図１において、前記転写領域Ｑ１においてトナー像が転写された送り孔付き連続用紙Ｐは、シートガイドＧ１にガイドされて連続用紙用定着装置Ｕｆに搬送される。前記連続用紙用定着装置Ｕｆ通過時にトナー像が加熱定着された送り孔付き連続用紙Ｐは、用紙ガイド部材Ｇ２，Ｇ２の間を通って、下方のスタッカトレイＴＲ２に搬送される。
【００２８】
（連続用紙用定着装置）
図３は前記図１に示す連続用紙用定着装置の説明図で、図３Ａは前記図１の連続用定着装置の要部拡大図、図３Ｂは前記図１の連続用定着装置の要部斜視図でプレッシャロールおよびその支持構造の斜視図、図３Ｃはリフトフレームによるプレッシャロールの支持構造の説明図で後述の図６Ｃの状態に対応する図であり、リフトフレームが第１回動位置に回動した状態を示す図、図３Ｄは固定フレームによるプレーシャロールのガイド構造の説明図で後述の図６Ｃの状態に対応する図であり、リフトフレームが第１回動位置に回動した状態を示す図、図３Ｅはリフトフレームによるプレッシャロールの支持構造の説明図で後述の図６Ｄの状態に対応する図であり、リフトフレームが第２回動位置に回動している途中の状態を示す図、図３Ｆは固定フレームによるプレーシャロールのガイド構造の説明図で後述の図６Ｄの状態に対応する図であり、リフトフレームが第２回動位置に回動している途中の状態を示す図、図３Ｇはリフトフレームによるプレッシャロールの支持構造の説明図で後述の図６Ｅの状態に対応する図であり、リフトフレームが第２回動位置に回動した状態を示す図、図３Ｈは固定フレームによるプレーシャロールのガイド構造の説明図で後述の図６Ｅの状態に対応する図であり、リフトフレームが第２回動位置に回動した状態を示す図である。
図１、図３において、連続用紙用定着装置Ｕｆは、軸１１ａを有するリフトフレーム１１を有しており、前記リフトフレーム１１の軸１１ａは、固定フレームＦ１（図３参照）により回転可能に支持されている。前記軸１１ａを有するリフトフレーム１１は、前記固定フレームＦ１（図示せず）に支持されたリフトモータＭ２により、上方に回動した第１回動位置と下方に回動した第２回動位置との間で回動可能である。
【００２９】
前記軸１１ａには連結フレーム１２が回転可能に支持されている。前記連結フレーム１２は、予備加熱部材１３に連結され且つ加圧ロール（加圧用回転部材）１４ａおよびカムホロア１６を回転可能に支持する。なお、前記加圧ロール１４ａが圧接する加熱ロール（加熱用回転部材）１４ｂは固定フレームＦ１により回転可能に支持されている。前記加熱ロール１４ｂと加圧ロール１４ａとの圧接領域により定着ニップＱが形成される。
前記リフトフレーム１１には、前記連結フレーム１２に支持されたカムホロア１６に当接するカム１７が回転可能に支持され且つ前記カム１７を回転させる離接モータＭ３が支持されている。前記連結フレーム１２は、前記離接モータＭ３により回転するカム１７により、上方に回転した第１位置（後述する図６Ａ、図６Ｂ参照）と下方に回転した第２位置（後述する図６Ｃ〜図６Ｅ参照）との間で回転可能である。
前記リフトフレーム１１が上方の第１回動位置に回動し且つ連結フレーム１２が上方の第１位置に移動した状態では、加圧ロール１４ａは加熱ロール１４ｂに圧接する圧接位置に移動し、予備加熱部材１３は連続用紙Ｐを予備加熱する予備加熱位置に移動する。
【００３０】
前記符号Ｄ２，Ｄ３，Ｍ２，Ｍ３，１１，１２等で示された要素により、前記トナー像を転写された連続用紙Ｐが搬送状態のときには前記加圧用回転部材１４ａを前記圧接位置に移動させ、前記連続用紙Ｐが停止状態のときには前記加圧用回転部材１４ａを前記離隔位置に移動させる加圧用回転部材移動装置（Ｄ２＋Ｄ３＋Ｍ２＋Ｍ３＋１１＋１２＋１６＋１７）が構成されている。
また、前記符号Ｄ２，Ｄ３，Ｍ２，Ｍ３，１１，１２等で示された要素により、前記トナー像を転写された連続用紙Ｐが搬送状態のときには前記予備加熱部材１３を前記予備加熱位置に移動させ、前記連続用紙Ｐが停止状態のときには前記予備加熱部材１３を非加熱位置に移動させる予備加熱部材移動装置（Ｄ２＋Ｄ３＋Ｍ２＋Ｍ３＋１１＋１２＋１６＋１７）が構成されている。
【００３１】
図３Ｂにおいて一対のプレッシャロール（搬送ロール、排出ロール）１８，１８の両外端部はそれぞれベアリング１９，１９により回転可能に支持されている。前記ベアリング１９，１９はベアリングケース２０に収容されており、前記ベアリングケース２０はリフトフレーム１１に形成されたベアリングガイド溝１１ｂに沿って移動可能に支持されている。前記ベアリングガイド溝１１ｂは前記軸１１ａを中心とする円弧状のガイド溝である。前記ベアリングケース２０はスプリング２１により、常時はベアリングガイド溝１１ｂの下端位置（図３Ｃ参照）に保持されている。
【００３２】
図３Ｄにおいて前記一対のプレーシャロール１８，１８の軸１８ａ，１８ａの両外端部はそれぞれ固定フレームＦ１に形成された軸ガイド溝２２，２２に沿って移動可能である。前記軸ガイド溝２２，２２は前記軸１１ａを中心とする円弧状のガイド溝である。前記軸１８ａ，１８ａは常時は（ベアリングガイド溝１１ｂの下端位置（図３Ｃ参照）に保持されている状態では）軸ガイド溝２２，２２の上端に保持されている。
前記図１、図３Ａの状態では、前記ベアリングガイド溝１１ｂ内のベアリングケース２０および軸ガイド溝２２，２２内の軸１８ａ，１８ａは前記図３Ｃおよび図３Ｄの位置に保持されている。その状態で前記リフトフレーム１１を軸１１回りに反時計方向に回動させると、最初、前記軸１８ａ，１８ａは前記軸ガイド溝２２，２２に沿って下方に移動して図３Ｆに示す位置に移動する。そのとき、前記ベアリングガイド溝１１ｂ内のベアリングケース２０の相対的位置は移動せず、図３Ｅの状態である。
【００３３】
前記図３Ｅ、図３Ｆの状態から、さらに前記リフトフレーム１１を軸１１回りに反時計方向に回動させると、前記軸ガイド溝２２，２２内の軸１８ａ，１８ａと前記ベアリングケース２０はリフトフレーム１１と一体的に回動不能であるので、リフトフレーム１１とベアリングガイド溝１１ｂのみが回動する。この場合、ベアリングガイド溝１１ｂ内のベアリングケース２０の位置は、図３Ｇの状態となり、軸ガイド溝２２，２２内の軸１８ａ，１８ａの位置は、図３Ｈの状態となる。
前記符号Ｄ２，Ｄ３，Ｍ２，Ｍ３，１１，１２等で示された要素により、前記トナー像を転写された連続用紙Ｐが搬送状態のときには前記一対のプレッシャロール１８，１８を前記使用位置に移動させ、前記連続用紙Ｐが停止状態のときには前記一対のプレッシャロール１８，１８を前記待機位置に移動させるプレッシャロール移動装置（Ｄ２＋Ｄ３＋Ｍ２＋Ｍ３＋１１＋１２＋１６＋１７）が構成されている。
【００３４】
（実施例１の制御部の説明）
図４は本発明の連続用紙用定着装置の実施例１を備えた画像形成装置の制御部のブロック線図である。
図４において、前記コントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するコンピュータにより構成されており、前記ＲＯＭに記憶されたプログラムを実行することにより種々の機能を実現することができる。
【００３５】
（実施例１のブロック線図の説明）
（前記コントローラＣに接続された信号出力要素）
前記コントローラＣは、ＵＩ（ユーザインタフェース）等の信号出力要素からの出力信号が入力されている。
前記ＵＩは、電源スイッチＵＩ1、表示部ＵＩ2、テンキーＵＩ3、…等を備えている。
【００３６】
（前記コントローラＣに接続された被制御要素）
また、コントローラＣは、メインモータ駆動回路Ｄ１、電源回路Ｅ、リフトモータ駆動回路Ｄ２、離接モータ駆動回路Ｄ３、用紙搬送モータ駆動回路Ｄ４、その他の制御要素に接続されており、それらの作動制御信号を出力している。
メインモータ駆動回路Ｄ1はメインモータＭ1を介して感光体ＰＲ、現像器Ｄの現像ロール、および連続用紙用定着装置Ｕｆの加熱ロール１４ｂ等を回転駆動する。
【００３７】
前記電源回路Ｅは現像用電源回路Ｅａ、帯電用電源回路Ｅｂ、転写用電源回路Ｅｃ、定着装置加熱用電源回路Ｅｄ等を有している。
現像用電源回路Ｅａは現像器Ｄの現像ロールに現像バイアス電圧を印加する。
帯電用電源Ｅｂは帯電器ＣＣ（チャージコロトロン）に感光体ＰＲ表面を帯電させるための帯電電圧を印加する。
転写用電源回路Ｅｃは転写ロールＴｒに転写電圧を印加する。
定着装置加熱用電源回路Ｅｄは、連続用紙用定着装置Ｕｆの加熱ロール１４ｂのヒータおよび予備加熱部材１３にヒータ加熱用の電圧を印加する。
【００３８】
リフトモータ駆動回路Ｄ2はリフトモータＭ2を駆動して連続用紙用定着装置Ｕｆのリフトフレーム１１を上方に回動した第１回動位置と下方に回動した第２回動位置との間で回動させる。
離接モータ駆動回路Ｄ3は離接モータＭ3を駆動して連続用紙用定着装置Ｕｆの離接フレーム１２を加熱ロール１４ｂに接近する第１位置と加熱ロール１４ｂから離れた第２位置との間で回動させる。
用紙搬送モータ駆動回路Ｄ４は用紙搬送モータＭ４を駆動してトラクタＫ１〜Ｋ３のトラクタピン７ａを有するピンベルト７を回転させる。前記ピンベルト７の回転により、連続用紙Ｐを搬送する。
【００３９】
（前記コントローラＣの機能）
前記コントローラＣは、前記信号出力要素からの入力信号に応じた処理を実行して、前記各制御要素に制御信号を出力する機能を有している。
すなわち、コントローラＣは次の機能を有している。
Ｃ１：ジョブ制御手段
ジョブ制御手段Ｃ１は、ジョブ（画像形成動作）開始指示があった場合に、ジョブ（画像形成動作）を実行する。
Ｃ２：メインモータ回転制御手段
メインモータ回転制御手段Ｃ２は、メインモータ駆動回路Ｄ１の動作を制御して、メインモータＭ１を駆動する。
【００４０】
Ｃ３：電源回路制御手段
電源回路制御手段Ｃ３は、次の電源回路制御手段Ｃ３ａ〜Ｃ３ｄを有している。
Ｃ３ａ：現像用電源回路制御手段
現像用電源回路制御手段Ｃ３ａは、現像用電源回路Ｅａの動作を制御して、現像器Ｄの現像ロールに現像バイアスを印加する。
Ｃ３ｂ：帯電用電源回路制御手段
帯電用電源回路制御手段Ｃ３ｂは、帯電用電源回路Ｅｂの動作を制御して、感光体ＰＲ表面を帯電させる帯電器ＣＣに帯電電圧を印加する。
【００４１】
Ｃ３ｃ：転写用電源回路制御手段
転写用電源回路制御手段Ｃ３ｃは、転写用電源回路Ｅｃの動作を制御して、転写ロールＴｒに転写電圧を印加する。
Ｃ３ｄ：定着装置加熱用電源回路制御手段
定着装置加熱用電源回路制御手段Ｃ３ｄは、定着装置加熱用電源回路Ｅｄの動作を制御して、連続用紙用定着装置Ｕｆの加熱ロール１４ｂのヒータおよび予備加熱部材１３のヒータにヒータ加熱用電圧を印加する。
【００４２】
Ｃ４：定着装置位置制御手段
定着装置位置制御手段Ｃ４は、次の手段Ｃ４ａ〜Ｃ４ｄおよびリフトフレーム下方回動時刻設定タイマＴＭ１を有している。
Ｃ４ａ：用紙走行開始指示判別手段
用紙走行開始指示判別手段Ｃ４ａは、用紙走行開始指示信号が出力されたか否か判別する。
Ｃ４ｂ：用紙停止判別手段
用紙停止判別手段Ｃ４ｂは、画像形成動作中の用紙が走行停止したか否か判別する。
【００４３】
Ｃ４ｃ：連結フレーム位置制御手段
連結フレーム位置制御手段Ｃ４ｃは、離接モータ駆動回路Ｄ３の動作を制御して離接モータＭ３を駆動し、連結フレーム１２を第１位置（加圧ロール１４ａが加熱ロール１４ｂに接近する位置）と第２位置（加圧ロール１４ａが加熱ロール１４ｂから離れる位置）との間で移動させる。
Ｃ４ｄ：リフトフレーム位置制御手段
リフトフレーム位置制御手段Ｃ４ｄは、リフトモータ駆動回路Ｄ２の動作を制御してリフトモータＭ２を駆動し、リフトフレーム１１を第１回動位置（上方に回動した位置）と第２回動位置（下方に回動した位置）との間で回動させる。
ＴＭ１：リフトフレーム下方回動時刻設定タイマ
リフトフレーム下方回動時刻設定タイマＴＭ１は、用紙が走行停止してから、リフトフレーム１１を下方の第２回転位置に回動させるまでの設定時間を計測する。
【００４４】
（フローチャートの説明）
図５は実施例１の画像形成装置の定着装置のリフトフレームおよび連結フレームの位置制御のフローチャートである。
図５のフローチャートの各ＳＴ（ステップ）の処理は、前記コントローラＣのＲＯＭに記憶されたプログラムに従って行われる。また、この処理は画像形成装置の他の各種処理と並行してマルチタスクで実行される。
図５に示す定着装置の位置制御処理のフローチャートは電源オンにより開始される。
図５のステップＳＴ1において、印刷開始指示有か否かを判断する。ノー（Ｎ）の場合はＳＴ1を繰返し実行する。イエス（Ｙ）の場合はＳＴ2に移る。
ＳＴ2において、リフトモータＭ２によりリフトフレーム１１を上方位置（第１回転位置）に回動する。
ＳＴ3において、用紙走行が停止したか否かを判断する。ノー（Ｎ）の場合はＳＴ3を繰返し実行する。イエス（Ｙ）の場合はＳＴ4に移る。
ＳＴ4において、次の処理を実行する。
（１）離接モータＭ３により連結フレーム１２を第２位置（離隔位置）に移動させる。
（２）タイマＴＭ１にリフトフレーム回動開始時間ＴＭ１aをセット。
【００４５】
ＳＴ5において、タイマＴＭ１はタイムアップ（ＴＭ１≧ＴＭ１a）したか否かを判断する。ノー（Ｎ）の場合はＳＴ6に移り、イエス（Ｙ）の場合はＳＴ8に移る。
ＳＴ6において、用紙走行開始指示有か否かを判断する。ノー（Ｎ）の場合は前記ＳＴ5に戻り、イエス（Ｙ）の場合はＳＴ7に移る。
ＳＴ7において、次の処理を実行する。
（１）タイマＴＭ１の作動を停止する。
（２）離接モータＭ３により連結フレーム１２を第１位置に移動させる。
次に、前記ＳＴ3に戻る。
前記ＳＴ5の処理でイエス（Ｙ）の場合に移るＳＴ8において、次の処理を実行する。
（１）リフトモータＭ２によりリフトフレーム１１を下方位置（第２回転位置）に回動させる。
（２）離接モータＭ３により連結フレーム１２を第１位置（圧接位置）に移動させる。
次に前記ＳＴ1に戻る。
【００４６】
（実施例１の作用）
図６は前記実施例１の連続用紙定着装置の作用説明図であり、図６Ａはリフトモータにより回動するリフトフレームが下方の第２回動位置に移動し且つ離接モータにより回動する連結フレームが上方の第１位置に移動した状態を示す図、図６Ｂはリフトフレームが上方の第１回動位置に移動し且つ連結フレームが前記図６Ａと同様の第１位置に移動した状態を示す図、図６Ｃはリフトフレームが前記図６Ｂと同様の上方の第１回動位置に移動し且つ連結フレームが下方の第２位置に移動した状態を示す図、図６Ｄはリフトフレームが前記図６Ｃの上方の第１回動位置から下方の第２回動位置に向かって回動する途中の状態を示し且つ連結フレームが前記図６Ｃと同様の下方の第２位置に移動した状態を示す図、図６Ｅはリフトフレームが下方の第２回動位置に回動した状態を示し且つ連結フレームが前記図６Ｄと同様の下方の第２位置に移動した状態を示す図である。
【００４７】
図６Ａにおいて、リフトフレーム１１はリフトモータＭ２により下方の第２回動位置に移動しており、連結フレーム１２は離接モータＭ３により上方に回動した第１位置（加圧ロール１４ａが加熱ロール１４ｂに接近する位置）に移動している。
前記リフトフレーム１１が下方の第２回動位置に移動した図６Ａの状態において、連続用紙の印刷開始指示信号が出力される（図５のＳＴ１参照）とリフトモータＭ２が駆動されてリフトフレーム１１は上方の第１回動位置（図６Ｂ参照）に移動する（図５のＳＴ２参照）。図６Ｂの状態では、連結フレーム１２は上方の第１位置に移動をしているので加圧ロール１４ａは加熱ロール１４ｂに圧接する。この状態で連続用紙Ｐが走行されると連続用紙Ｐ上のトナー像は予備加熱部材１３および一対の定着ロール１４ａ，１４ｂにより加熱定着される。
【００４８】
前記連続用紙Ｐが走行される図６Ｂの状態で連続用紙Ｐが停止する（図５のＳＴ３参照）と、図５のＳＴ４において次の動作が行われる。
（１）離接モータＭ３がカム１７を図６Ｂの位置（加圧ロール１４ａが加熱ロール１４ｂに圧接する第１位置）から図６Ｃの位置（加圧ロール１４ａが加熱ロール１４ｂから離隔する第２位置）に回転させる。
（２）リフトフレーム回動開始時刻計測タイマＴＭ１にリフトフレーム回動開始時間ＴＭ１ａをセットする。
【００４９】
前記図６Ｃの状態で前記リフトフレーム回動開始時間ＴＭ１ａが経過すると、図５のＳＴ８において次の動作（１），（２）が実行される。
（１）リフトモータＭ２によりリフトフレーム１１を前記図６Ｃの状態から、図６Ｄの状態を経て図６Ｅの状態に回動させる。
（２）リフトフレーム１１が前記図６Ｃの状態から図６Ｄの状態を経て図６Ｅの状態に回動する場合、プレッシャロール１８，１８の軸１８ａ，１８ａおよび前記軸１８ａ，１８ａを回転可能に支持するベアリング１９，１９を保持するベアリングケース２０は、前記図３Ｂおよび図３Ｃ、図３Ｄの状態から、図３Ｅ、図３Ｆの状態を経て図３Ｇ、図３Ｈの状態に移る。
【００５０】
すなわち、図６Ｃの状態では、プレッシャロール１８，１８の軸１８ａ，１８ａを回転可能に支持するベアリングケース２０は、図３Ｂ，図３Ｃに示すように、リフトフレーム１１のベアリングガイド１１ｂの下端に保持されており、軸１８ａ，１８ａは図３Ｄに示すように固定フレームＦ１の軸ガイド溝２２，２２の上端に保持されている。
前記図６Ｃ、図３Ｂ〜図３Ｄの状態からリフトフレーム１１が図６Ｄの状態まで回動した状態では、ベアリングケース２０は、図３Ｅに示すように（前記図３Ｂ，図３Ｃと同様に）、リフトフレーム１１のベアリングガイド１１ｂの下端に保持されており、軸１８ａ，１８ａは図３Ｆに示すように固定フレームＦ１の軸ガイド溝２２，２２の下端に移動している。
【００５１】
図３Ｆの状態で前記リフトフレーム１１が更に下方に回動しても、前記軸１８ａ，１８ａは、図３Ｆに示すように固定フレームＦ１の軸ガイド溝２２，２２の下端に当接しているので、下方に移動（回動）することができない。
したがって、図６Ｄの状態からリフトフレーム１１が更に下方に回動した場合、ベアリングケース２０は、下方に移動することができないので、図３Ｇに示すように、ベアリングケース２０の位置は移動せずにリフトフレーム１１およびベアリングガイド溝１１ｂだけが下方に移動（回動）する。
すなわち、リフトフレーム１１が図６Ｄの状態から図６Ｅの状態に回動する際、プレッシャロール１８，１８とその軸１８ａ，１８ａとベアリングケース２０とは移動せずに、リフトフレーム１１のみが回動する。
【００５２】
前記図６Ｃの状態から図６Ｄの状態になったときには、前記プレッシャロール１８，１８により挟持された連続用紙Ｐは、加熱ロール１４ｂから離隔する。また、前記図６Ｄの状態から図６Ｅの状態になったときには、前記プレッシャロール１８，１８により挟持された連続用紙Ｐは、予備加熱部材１３からも離隔する。このため、連続用紙Ｐは、加熱ロール１４ｂ、予備加熱部材１３から長時間に渡って熱が伝達されることがなくなる。したがって、連続用紙Ｐが熱によってダメージを受けることを防止することができる。
また、前記連続用紙Ｐは、プレッシャロール１８，１８により挟持された状態で移動するので、加熱ロール１４ｂから離隔したり、接触したりする動作（離接動作）で連続用紙Ｐが横ズレして、連続用紙の端部（用紙搬送方向と直交する方向の両端部）が破損したり、離接動作により連続用紙が挟み込まれて折れ曲がったりすることを防止できる。また、離接動作で連続用紙Ｐが所定の位置からずれることで、排出する連続用紙Ｐの折り畳みに支障を生じさせることも防止できる。
【００５３】
（実施例２）
図７は本発明の連続用紙定着装置の実施例２の説明図で前記実施例１の図６に対応する図であり、図７Ａはリフトモータにより回動するリフトフレームが下方の第２回動位置に移動し且つ離接モータにより回動する連結フレームが上方の第１位置に移動した状態を示す図、図７Ｂはリフトフレームが上方の第１回動位置に移動し且つ連結フレームが前記図７Ａと同様の第１位置に移動した状態を示す図、図７Ｃはリフトフレームが前記図７Ｂと同様の上方の第１回動位置に移動し且つ連結フレームが下方の第２位置に移動した状態を示す図、図７Ｄはリフトフレームが前記図７Ｃの上方の第１回動位置から下方の第２回動位置に向かって回動する途中の状態を示し且つ連結フレームが前記図７Ｃと同様の下方の第２位置に移動した状態を示す図、図７Ｅはリフトフレームが下方の第２回動位置に回動した状態を示し且つ連結フレームが前記図７Ｄと同様の下方の第２位置に移動した状態を示す図である。
【００５４】
なお、この図７に示す実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
前記実施例１ではリフトモータＭ２によりリフトフレーム１１の軸１１ａを回転させていたが、この実施例２では、リフトモータＭ２によりカム２６を回転させている。前記カム２６は軸１１ａ回りに回動可能なリフトフレーム１１の下面に当接しており、前記カム２６の回転に応じてリフトフレーム１１を回転させることが可能である。
この実施例２も、前記実施例１と同様に、連続用紙Ｐが熱によってダメージを受けることを防止することができる。
【産業上の利用可能性】
【００５５】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（Ｈ01）実施例１では、加圧ロール４ａや予備加熱部材１３に連結される連結フレーム１２は、リフトフレーム１１の回動に伴って回動するように構成されているがリフトフレーム１１の回動に伴って回動せず、リフトフレーム１１の回動とは独立に回動するように構成することが可能である。
その場合、リフトフレーム１１の回動によりプレッシャロール１８，１８を移動させて、連結フレームの回動により加圧ロール４ａや予備加熱部材１３を移動させるように構成することが可能である。
その場合、予備加熱部材移動装置は、前記連結フレーム（１２）と前記連結フレーム回動装置（Ｄ３＋Ｍ３＋１６＋１７）とにより構成される。また、加圧部材移動装置は、前記連結フレーム（１２）と前記連結フレーム回動装置（Ｄ３＋Ｍ３＋１６＋１７）とにより構成される。
（Ｈ02）用紙の厚さまたは種類を検出し、用紙の厚さまたは種類に応じてプレッシャロールの移動量や、連結フレームの回転量等を調節することが可能である。
【図面の簡単な説明】
【００５６】
【図１】図１は本発明の実施例１の送り孔付き連続用紙搬送装置を備えた画像形成装置の説明図である。
【図２】図２は用紙搬送用のトラクタユニットの説明図であり、図２Ａは連続用紙を搬送するトラクタユニットの斜視図、図２Ｂトラクタユニットの説明図で前記図２ＡのIIＢ−IIＢ線から見た図である。
【図３】図３は前記図１に示す連続用紙用定着装置の説明図で、図３Ａは前記図１の連続用定着装置の要部拡大図、図３Ｂは同要部斜視図でプレッシャロールおよびその支持構造の斜視図、図３Ｃはリフトフレームによるプレッシャロールの支持構造の説明図で後述の図６Ｃの状態に対応する図であり、リフトフレームが第１回動位置に回動した状態を示す図、図３Ｄは固定フレームによるプレーシャロールのガイド構造の説明図で後述の図６Ｃの状態に対応する図であり、リフトフレームが第１回動位置に回動した状態を示す図、図３Ｅはリフトフレームによるプレッシャロールの支持構造の説明図で後述の図６Ｄの状態に対応する図であり、リフトフレームが第２回動位置に回動している途中の状態を示す図、図３Ｆは固定フレームによるプレーシャロールのガイド構造の説明図で後述の図６Ｄの状態に対応する図であり、リフトフレームが第２回動位置に回動している途中の状態を示す図、図３Ｇはリフトフレームによるプレッシャロールの支持構造の説明図で後述の図６Ｅの状態に対応する図であり、リフトフレームが第２回動位置に回動した状態を示す図、図３Ｈは固定フレームによるプレーシャロールのガイド構造の説明図で後述の図６Ｅの状態に対応する図であり、リフトフレームが第２回動位置に回動した状態を示す図である。
【図４】図４は本発明の連続用紙用定着装置の実施例１を備えた画像形成装置の制御部のブロック線図である。
【図５】図５は実施例１の画像形成装置の定着装置のリフトフレームおよび連結フレームの位置制御のフローチャートである。
【図６】図６は前記実施例１の連続用紙定着装置の作用説明図であり、図６Ａはリフトモータにより回動するリフトフレームが下方の第２回動位置に移動し且つ離接モータにより回動する連結フレームが上方の第１位置に移動した状態を示す図、図６Ｂはリフトフレームが上方の第１回動位置に移動し且つ連結フレームが前記図６Ａと同様の第１位置に移動した状態を示す図、図６Ｃはリフトフレームが前記図６Ｂと同様の上方の第１回動位置に移動し且つ連結フレームが下方の第２位置に移動した状態を示す図、図６Ｄはリフトフレームが前記図６Ｃの上方の第１回動位置から下方の第２回動位置に向かって回動する途中の状態を示し且つ連結フレームが前記図６Ｃと同様の下方の第２位置に移動した状態を示す図、図６Ｅはリフトフレームが下方の第２回動位置に回動した状態を示し且つ連結フレームが前記図６Ｄと同様の下方の第２位置に移動した状態を示す図である。
【図７】図７は本発明の連続用紙定着装置の実施例２の説明図で前記実施例１の図６に対応する図であり、図７Ａはリフトモータにより回動するリフトフレームが下方の第２回動位置に移動し且つ離接モータにより回動する連結フレームが上方の第１位置に移動した状態を示す図、図７Ｂはリフトフレームが上方の第１回動位置に移動し且つ連結フレームが前記図７Ａと同様の第１位置に移動した状態を示す図、図７Ｃはリフトフレームが前記図７Ｂと同様の上方の第１回動位置に移動し且つ連結フレームが下方の第２位置に移動した状態を示す図、図７Ｄはリフトフレームが前記図７Ｃの上方の第１回動位置から下方の第２回動位置に向かって回動する途中の状態を示し且つ連結フレームが前記図７Ｃと同様の下方の第２位置に移動した状態を示す図、図７Ｅはリフトフレームが下方の第２回動位置に回動した状態を示し且つ連結フレームが前記図７Ｄと同様の下方の第２位置に移動した状態を示す図である。
【符号の説明】
【００５７】
Ｆ１…固定フレーム、
Ｐ…連続用紙、
ＰＲ…像担持体、
Ｑ１…転写領域、
Ｔｒ…転写部材、
１１…リフトフレーム、
１２…連結フレーム、
１３…予備加熱部材、
１４ａ，１４ｂ…一対の定着用回転部材、
１４ａ…加圧用回転部材、
１４ｂ…加熱用回転部材、
１８，１８…プレッシャロール、
（Ｄ２＋Ｄ３＋Ｍ２＋Ｍ３＋１１＋１２＋１６＋１７）…加圧用回転部材移動装置、プレッシャロール移動装置、予備加熱部材移動装置、
（Ｄ３＋Ｍ３＋１２＋１６＋１７）…予備加熱部材移動装置、加圧用回転部材移動装置、
（Ｄ２＋Ｍ２）…リフトフレーム回動装置、
（Ｄ２＋Ｍ２＋１１）…プレッシャロール移動装置、
（Ｄ３＋Ｍ３＋１６＋１７）…連結フレーム回動装置、
【図１】
2006267769.tif 000003
【図２】
2006267769.tif 000004
【図３】
2006267769.tif 000005
【図４】
2006267769.tif 000006
【図５】
2006267769.tif 000007
【図６】
2006267769.tif 000008
【図７】
2006267769.tif 000009